(57)【要約】【課題】本発明は、バイアルから吸引した放射性薬液の残留を低減すると共に放射線管理区域における専有面積の削減を達成する放射性薬液処理装置を提供すること。【解決手段】注射器２２０のシリンジ２２１を保持する注射器保持ユニット１５０と、注射器２２０のプランジャ２２２を往復動させるプランジャ往復動ユニット１６０と、バイアルＶを往復動させるバイアル往復動ユニット１７０と、バイアルＶへ穿刺してバイアルＶ内の放射性薬液を取り出す吸引針２４０を保持する吸引針保持ユニット１８０と、注射器２２０と吸引針２４０との間で連通する流路を形成すると共に該流路を開閉する流路切換部材を保持する切換部材保持ユニット１９０とを備え、注射器保持ユニット１５０と切換部材保持ユニット１９０と吸引針保持ユニット１８０とが、注射器２２０と流路切換部材と吸引針２４０とを直結させる位置に配設されている。【選択図】図５
2019217079.tif 000002
【特許請求の範囲】
【請求項１】
バイアル内の放射性薬液を注射器に吸引する放射性薬液処理装置であって、
前記注射器のシリンジを保持する注射器保持ユニットと、
前記注射器のプランジャを往復動させるプランジャ往復動ユニットと、
前記バイアルを往復動させるバイアル往復動ユニットと、
前記バイアルへ穿刺して前記バイアル内の放射性薬液を取り出す吸引針を保持する吸引針保持ユニットと、
前記注射器と前記吸引針との間で連通する流路を形成すると共に該流路を開閉する流路切換部材を保持する切換部材保持ユニットとを備え、
前記注射器保持ユニットと前記切換部材保持ユニットと前記吸引針保持ユニットとが、前記注射器と前記流路切換部材と前記吸引針とを直結させる位置に配設されていることを特徴とする放射性薬液処理装置。
【請求項２】
前記切換部材保持ユニットが、前記流路切換部材を前記注射器および前記吸引針と鉛直方向で直結させる位置に配設されていることを特徴とする請求項１に記載の放射性薬液処理装置。
【請求項３】
前記注射器保持ユニットが、前記注射器を着脱自在に保持し、
前記吸引針保持ユニットが、前記吸引針を着脱自在に保持し、
前記切換部材保持ユニットが、前記流路切換部材を着脱自在に保持していることを特徴とする請求項１または請求項２に記載の放射性薬液処理装置。
【請求項４】
前記流路切換部材が、３つの流路と該３つの流路のうち２つの流路を連通させる流路切換弁と該流路切換弁を操作する操作レバーとを有する三方活栓であることを特徴とする請求項１乃至請求項３のいずれか１項に記載の放射性薬液処理装置。
【請求項５】
前記切換部材保持ユニットが、前記三方活栓の操作レバーを操作するレバー保持部材と該レバー保持部材を回転させる三方活栓切換モーターとを有していることを特徴とする請求項４に記載の放射性薬液処理装置。
【請求項６】
前記注射器保持ユニットと前記バイアル往復動ユニットとが、外装ハウジング内に組み込まれていることを特徴とする請求項１乃至請求項５のいずれか１項に記載の放射性薬液処理装置。
【請求項７】
前記注射器保持ユニットと前記切換部材保持ユニットとが、前記外装ハウジング内の放射線遮蔽領域に配置されていることを特徴とする請求項６に記載の放射性薬液処理装置。
【請求項８】
前記バイアル往復動ユニットが、前記バイアルを収容して前記バイアル内から放出される放射線を遮蔽する遮蔽容器を水平面に対して傾いた状態で保持する容器ホルダーを着脱自在に載置する容器ホルダー載置台を有し、
該容器ホルダー載置台が、前記容器ホルダーと係合して前記容器ホルダーの取付向きを位置決めする係合面を有していることを特徴とする請求項１乃至請求項７のいずれか１項に記載の放射性薬液処理装置。
【請求項９】
請求項１乃至請求項７のいずれか１項に記載の放射性薬液処理装置に用いる容器ホルダーであって、
前記バイアルを収容して前記バイアル内から放出される放射線を遮蔽する遮蔽容器が着脱自在に装着される容器保持部材と、
前記遮蔽容器内に収容した前記バイアルの抜け出しを抑える抑え蓋とを備えていることを特徴とする容器ホルダー。
【請求項１０】
請求項１乃至請求項８のいずれか１項に記載の放射性薬液処理装置に用いる薬液用ディスポーザブルユニットであって、
前記注射器と前記流路切換部材と前記吸引針とが、一連一体に組み合わされていることを特徴とする薬液用ディスポーザブルユニット。
【請求項１１】
前記放射性薬液を投与するために用いられることを特徴とする請求項１乃至請求項８のいずれか１項に記載の放射性薬液処理装置。
【発明の詳細な説明】
【技術分野】
【０００１】
本発明は、バイアル内の放射性薬液を注射器を用いて取り扱う放射性薬液処理装置に関するものである。
【背景技術】
【０００２】
従来、医療施設や理化学研究施設において、バイアル内の放射性薬液を注射器を用いて取り扱う放射性薬液処理装置が知られている（特許文献１、２）。
この放射性薬液処理装置を用いて放射性薬液の吸引、分注、投与などを行う際、被曝を防止するために、放射性薬液処理装置は、放射線管理区域に設置されている。
【０００３】
例えば、特許文献１には、バイアルを収納する遮蔽キャビネットと、この遮蔽キャビネットの外部に設けられて注射器を収納するシリンジ用遮蔽器とを有する放射性薬剤の吸引装置が記載されている。
【先行技術文献】
【特許文献】
【０００４】
【特許文献１】特開２００６−３２５８２６号公報
【特許文献２】特開２００８−２５３４０９号公報
【発明の概要】
【発明が解決しようとする課題】
【０００５】
特許文献１、２に記載されている放射性薬液処理装置は、バイアル上部のゴム栓を穿通してバイアル内の放射性薬剤を取り出す薬剤針と、バイアル内と大気とを連通させるエア針とをそれぞれの昇降機構によって昇降させている。
これにより、昇降機構が複雑になっているため、装置が大型化して放射線管理区域内で大きな専有面積を占め、その取り扱いスペースが著しく制限されるという問題があった。
【０００６】
また、特許文献１、２に記載されている放射性薬液処理装置は、薬剤針を昇降させていることから注射器と薬剤針との間を柔軟性のあるチューブで繋いでいる。
これによりチューブを配置する空間を装置内に設けることで装置が大型化してしまうといった問題や、バイアルから放射性薬剤を吸引した際に放射性薬剤がチューブ内に残存してしまうといった問題や、放射性薬剤吸引作業後の放射性廃棄物量が増加してしまうという問題があった。
【０００７】
そこで、本発明は、前述したような従来技術の問題を解決するものであって、すなわち、本発明の目的は、バイアルから吸引した放射性薬液の残留を低減すると共に放射線管理区域における専有面積の削減を達成する放射性薬液処理装置を提供することである。
【課題を解決するための手段】
【０００８】
本発明は、バイアル内の放射性薬液を注射器に吸引する放射性薬液処理装置であって、前記注射器のシリンジを保持する注射器保持ユニットと、前記注射器のプランジャを往復動させるプランジャ往復動ユニットと、前記バイアルを往復動させるバイアル往復動ユニットと、前記バイアルへ穿刺して前記バイアル内の放射性薬液を取り出す吸引針を保持する吸引針保持ユニットと、前記注射器と前記吸引針との間で連通する流路を形成すると共に該流路を開閉する流路切換部材を保持する切換部材保持ユニットとを備え、前記注射器保持ユニットと前記切換部材保持ユニットと前記吸引針保持ユニットとが、前記注射器と前記流路切換部材と前記吸引針とを直結させる位置に配設されていることにより、前述した課題を解決するものである。
【発明の効果】
【０００９】
本発明の放射性薬液処理装置によれば、バイアルを往復動させるバイアル往復動ユニットを備え、注射器保持ユニットと切換部材保持ユニットと吸引針保持ユニットとが、注射器と流路切換部材と吸引針とを直結させる位置に配設されているにより、従来のような注射器および流路切換部材を固定して吸引針のみを往復動させてバイアル内の放射性薬液を吸引する場合に必要な吸引針と流路切換部材とを繋ぐ流路部材が不要になるため、バイアルから吸引した放射性薬液の残留を低減できると共に装置全体の外形寸法を小型化して放射線管理区域における専有面積を削減することができる。
【図面の簡単な説明】
【００１０】
【図１】本発明の実施例である放射性薬液処理装置の斜視図。
【図２】図１の放射性薬液処理装置に用いた薬液用ディスポーザブルユニットの構成図。
【図３】図２の薬液用ディスポーザブルユニットにおける上部三方活栓の斜視断面図。
【図４】図１に示す放射性薬液処理装置の遮蔽部材を外した状態における正面図。
【図５】図１のＶ―Ｖ断面図。
【図６】図５のＶＩ−ＶＩ断面図。
【図７】図１の放射性薬液処理装置における容器ホルダー載置台の正面図。
【図８Ａ】三方活栓保持部材と流路部材との位置関係を示す斜視断面図。
【図８Ｂ】三方活栓保持部材を回転させた状態における三方活栓保持部材と流路部材との位置関係を示す正面図。
【図９】本発明の実施例である容器ホルダーの斜視図。
【図１０】図９のＸ−Ｘ断面図。
【図１１】放射性薬液処理装置を用いて放射性薬液を投与する際の薬液用ディスポーザブルユニットの状態を示す図。
【図１２】放射性薬液処理装置を用いて放射性薬液を投与する際の薬液用ディスポーザブルユニットの状態を示す図。
【図１３】放射性薬液処理装置を用いて放射性薬液を投与する際の薬液用ディスポーザブルユニットの状態を示す図。
【図１４】放射性薬液処理装置を用いて放射性薬液を投与する際の薬液用ディスポーザブルユニットの状態を示す図。
【図１５】放射性薬液処理装置を用いて放射性薬液を投与する際の薬液用ディスポーザブルユニットの状態を示す図。
【図１６】放射性薬液処理装置を用いて放射性薬液を投与する際の薬液用ディスポーザブルユニットの状態を示す図。
【図１７】放射性薬液処理装置を用いて放射性薬液を投与する際の薬液用ディスポーザブルユニットの状態を示す図。
【発明を実施するための形態】
【００１１】
本発明は、バイアル内の放射性薬液を注射器に吸引する放射性薬液処理装置であって、注射器のシリンジを保持する注射器保持ユニットと、注射器のプランジャを往復動させるプランジャ往復動ユニットと、バイアルを往復動させるバイアル往復動ユニットと、バイアルへ穿刺してバイアル内の放射性薬液を取り出す吸引針を保持する吸引針保持ユニットと、注射器と吸引針との間で連通する流路を形成すると共にこの流路を開閉する流路切換部材を保持する切換部材保持ユニットとを備え、注射器保持ユニットと切換部材保持ユニットと吸引針保持ユニットとが、注射器と流路切換部材と吸引針とを直結させる位置に配設されていることにより、バイアルから吸引した放射性薬液の残留を低減すると共に放射線管理区域における専有面積の削減を達成するものであれば、その具体的な実施態様は、如何なるものであっても構わない。
【００１２】
例えば、本発明において、「往復動」とは、直線的に往復する動作を意味し、鉛直方向に昇降する動作や水平方向に往復する動作も含むが、特に断らない限り、鉛直方向に昇降する動作が好ましい。
【００１３】
例えば、本発明において、「バイアル」とは、ガラス瓶と、このガラス瓶の開口を塞ぐブチルゴム等の栓体と、アルミ製のキャップ等とから構成される容器を指すが、気密性が高く液状の物質の収容に適した素材で構成された容器であって、吸引針等の針体によって栓体の上部を穿通できるものであれば、如何なるものであってもよい。
【００１４】
例えば、本発明に用いる「放射性薬液」とは、液状の放射性医薬品等であって、この液状の放射性医薬品としては、例えば、ＰＥＴ（陽電子放射断層撮像法）用の放射性医薬品であるフルデオキシグルコース（１８Ｆ)注射液）、ＳＰＥＣＴ（単光子放出コンピュータ断層撮影法）用の放射性医薬品である。
【００１５】
例えば、本発明における「薬液処理」とは、薬液の吸引に限らず、分注、投与なども含むものとする。
【００１６】
例えば、本発明において、流路切換部材の操作は、後述するようなモーターで行ってもよいし、手動で行ってもよい。
【実施例】
【００１７】
以下、図１乃至図１７に基づいて、本発明の一実施例である放射性薬液の投与に用いる放射性薬液処理装置を説明するとともに、この放射性薬液処理装置とともに用いる容器ホルダーおよび薬液用ディスポーザブルユニットについて説明する。
【００１８】
＜１．放射性薬液処理装置の概要＞
まず、図１に基づいて、本発明の実施例である放射性薬液処理装置１００を説明する。
ここで、図１は、本発明の実施例である放射性薬液処理装置の斜視図である。
【００１９】
放射性薬液処理装置１００は、放射線による障害を防止するために設けられる区域であって、作業者や周辺公衆の放射線被曝が定められた限度を超えないように、ある一定の放射線レベルの基準を超えるおそれのある区域を明示して人の不必要な立ち入りを防止するために設けられる区域である放射線管理区域に設置される直方体状のものである。
そして、この放射性薬液処理装置１００は、薬液用ディスポーザブルユニット２００を用いてバイアル内の放射性薬液を注射器に吸引して充填する装置である。
【００２０】
＜２．薬液用ディスポーザブルユニットの概要＞
図１乃至図３に基づいて、放射性薬液処理装置１００に用いる薬液用ディスポーザブルユニット２００について説明する。
図２は、図１の放射性薬液処理装置に用いた薬液用ディスポーザブルユニットの構成図であり、図３は、図２の薬液用ディスポーザブルユニットにおける上部三方活栓の斜視断面図である。
【００２１】
図２に示すように、薬液用ディスポーザブルユニット２００は、生理食塩水供給用注射器２１０と、放射性薬液をバイアルから吸引して患者に投与するための注射器２２０と、流路を形成すると共にこの流路を開閉する流路部材２３０と、この流路部材２３０に直結する吸引針２４０と、注射器２２０と患者との間に設けて気泡を除去するフィルター２５０と、流路部材２３０と生理食塩水供給用注射器２１０およびフィルター２５０とを接続するチューブ２６０とを備えている。
このうち、注射器２２０と流路部材２３０と吸引針２４０とは一連一体に組み合わされ、それぞれ鉛直方向に直結されている。
なお、注射器２２０と流路部材２３０と吸引針２４０とを組み合わせる方法については、例えば、部材同士の嵌合、接着剤による接着や音波や熱による溶着であるが、これに限定されるものではない。
【００２２】
生理食塩水供給用注射器２１０は、図１に示すように、一例として、使用時において放射性薬液処理装置１００の外装ハウジング１１０に設けられたホルダー１１１ａに取り付けられている。
そして、この生理食塩水供給用注射器２１０は、内部に生理食塩水を蓄えるシリンジ２１１と、このシリンジ２１１内に蓄えられた生理食塩水を外部に吐出するためのプランジャ２１２とを有している。
【００２３】
注射器２２０は、内部に放射性薬液を蓄えるシリンジ２２１とこのシリンジ２２１内に放射性薬液を吸引したりシリンジ２２１内に蓄えられた放射性薬液を外部に吐出したりするためのプランジャ２２２とを有している。
また、図２に示すように、注射器２２０の体積は、一例として、生理食塩水供給用注射器２１０の体積より小さい。
【００２４】
流路部材２３０は、２つの流路切換部材の一例である三方活栓（上部三方活栓２３１および下部三方活栓２３２）を鉛直方向に直結させた部材となっている。
【００２５】
図３に示すように、上部三方活栓２３１は、３つの流路を形成するＴ字状の活栓本体２３１ａと、この３つの流路のうち２つの流路を連通させる流路切換弁２３１ｂと、この流路切換弁２３１ｂを操作する操作レバー２３１ｃとを有している。
そして、図３に示すように、一例として、活栓本体２３１ａの上部ポート２３１ａ１は、注射器２２０のシリンジ２１１と直結され、活栓本体２３１ａの水平ポート２３１ａ２は、後述する第１チューブ２６１と接続され、活栓本体２３１ａの下部ポート２３１ａ３は、下部三方活栓２３２の上部ポート２３２ａ１と直結されている。
なお、注射器２２０は、一例として、上部三方活栓２３１の水平方向の水平ポート２３１ａ２と直結して鉛直方向の長さを短くしてもよいが、流路中における空気の残留を防ぐためには、図２に示すように、上部三方活栓２３１の鉛直上方の上部ポート２３１ａ１と直結するのが好ましい。
【００２６】
下部三方活栓２３２の構造は、上部三方活栓２３１の構造と同じであるため、上部三方活栓２３１と共通する事項については、２３２番台の符号を付し、その詳しい説明を省略する。
そして、図３に示すように、一例として、下部三方活栓２３２の上部ポート２３２ａ１は、上部三方活栓２３１の下部ポート２３１ａ３と直結され、下部三方活栓２３２の水平ポート２３２ａ２は、後述する第２チューブ２６２と接続され、下部三方活栓２３２の下部ポート２３２ａ３は、吸引針２４０と直結されている。
【００２７】
吸引針２４０は、バイアルのゴム栓に穿刺してバイアル内の放射性薬液を取り出すために用いられる。
【００２８】
チューブ２６０は、上部三方活栓２３１の水平ポート２３１ａ２とフィルター２５０とを連通する第１チューブ２６１、および、下部三方活栓２３２の水平ポート２３２ａ２と生理食塩水供給用注射器２１０のシリンジ２１１とを連通する第２チューブ２６２である。
【００２９】
＜３．放射性薬液処理装置の外観構造＞
ここから、放射性薬液処理装置について詳しく説明する。
まず、図１および図４に基づいて、放射性薬液処理装置の外観構造を説明する。
図４は、本発明の実施例である放射性薬液処理装置の遮蔽部材を外した状態における正面図である。
【００３０】
図１に示すように、放射性薬液処理装置１００の外装ハウジング１１０は、直方体状であり、この外装ハウジング１１０の右側面１１１には、薬液用ディスポーザブルユニット２００の生理食塩水供給用注射器２１０を保持するホルダー１１１ａが設けられている。
また、外装ハウジング１１０の正面１１２には、薬液用ディスポーザブルユニット２００の注射器２２０と流路部材２３０と吸引針２４０とを放射性薬液処理装置１００の内部に設置するために開口された矩形状の上部開口１１２ａ（図４参照）、および、後述する容器ホルダー３００を放射性薬液処理装置１００の内部に設置するために開口された矩形状の下部開口１１２ｂ（図４参照）が形成されている。
【００３１】
そして、この上部開口１１２ａおよび下部開口１１２ｂから放射線が漏洩することを防ぐために、放射性薬液処理装置１００は、遮蔽部材１２０を備えている。
この遮蔽部材１２０は、上部開口１１２ａを塞ぐ矩形状の遮蔽扉１２１、および、下部開口１１２ｂを塞ぐポリカーボネート製で矩形状の薬剤供給扉１２２である。
特に、遮蔽扉１２１は、一例として、鉛製であり、その下部にポリカーボネート製の目視窓１２１ａを有し、この目視窓１２１ａから薬液用ディスポーザブルユニット２００の吸引針２４０の取付位置を確認できるように形成されている。
このように遮蔽扉１２１に目視窓１２１ａが設けられていることにより、後述するバイアル往復動ユニット１７０を上下動させてバイアルＶに吸引針２４０を穿刺させる際に、吸引針２４０がバイアルＶに対して穿刺可能な位置（すなわち、後述する針挿入孔３２１に適切に挿通される位置）に取り付けられているか否かを目視で確認することができる。
また、薬液用ディスポーザブルユニット２００のチューブ２６０は、目視窓１２１ａと外装ハウジング１１０の間を通って、放射性薬液処理装置１００の内部に配置された薬液用ディスポーザブルユニット２００の流路部材２３０と外部とを連通している。
【００３２】
＜４．放射性薬液処理装置の内部構造＞
次に、図４乃至図７に基づいて、放射性薬液処理装置１００の内部構造を説明する。
図５は、図１のＶ―Ｖ断面図であり、図６は、図５のＶＩ−ＶＩ断面図であり、図７は、本発明の実施例である放射性薬液処理装置１００の容器ホルダー載置台の正面図である。
【００３３】
＜４．１．ハウジング＞
放射性薬液処理装置１００は、外装ハウジング１１０の内部に、直方体状の駆動部仕切りカバー１３０を有している。
この駆動部仕切りカバー１３０は、左側面カバー板１３１と右側面カバー板１３２と背面カバー板１３３と上面カバー板１３４と底面カバー板１３５とで構成されている。
【００３４】
駆動部仕切りカバー１３０の上方側は、外部への放射線漏洩を防ぐために、鉛製の遮蔽部１４０で覆われている。
この遮蔽部１４０は、上面カバー板１３４の上側に取り付けられた上面カバー板１３４より厚い遮蔽天板１４１と、左側面カバー板１３１の左側に取り付けられた左側面カバー板１３１より厚い遮蔽左側面板１４２と、右側面カバー板１３２の右側に取り付けられた右側面カバー板１３２より厚い遮蔽右側面板１４３と、背面カバー板１３３の後側に取り付けられた背面カバー板１３３より厚い遮蔽背面板１４４とで構成され、これら４枚の板により放射線遮蔽領域Ａを区画している。
【００３５】
＜４．２．駆動部＞
さらに、放射性薬液処理装置１００は、背面カバー板１３３の前側に取り付けられた注射器保持ユニット１５０と、薬液用ディスポーザブルユニット２００の注射器２２０のプランジャ２２２を往復動させるプランジャ往復動ユニット１６０と、後述する容器ホルダー３００を上下に往復動させるバイアル往復動ユニット１７０と、背面カバー板１３３の前側に取り付けられた吸引針保持ユニット１８０と、背面カバー板１３３および遮蔽背面板１４４に取り付けられた切換部材保持ユニット１９０とを備えている。
すなわち、注射器保持ユニット１５０、プランジャ往復動ユニット１６０、バイアル往復動ユニット１７０、吸引針保持ユニット１８０、切換部材保持ユニット１９０は単一の外装ハウジング１１０内に配置されている。
【００３６】
注射器保持ユニット１５０は、放射線遮蔽領域Ａ内において上部開口１１２ａと対向する位置に配置され、注射器２２０のシリンジ２２１の側面を左右両側から把持する爪部材１５１を有している。
この爪部材１５１により、薬液用ディスポーザブルユニット２００の注射器２２０のシリンジ２２１を着脱自在に保持する。
【００３７】
プランジャ往復動ユニット１６０は、注射器２２０のプランジャ２２２を把持するプランジャ把持機構１６１と、鉛直方向に往復動するロッド１６２ａを有する第１単軸アクチュエーター１６２と、プランジャ把持機構１６１と第１単軸アクチュエーター１６２とを連結するリンク１６３とを有している。
プランジャ把持機構１６１は、放射線遮蔽領域Ａ内で注射器保持ユニット１５０の上方に配置されている。
そして、このプランジャ把持機構１６１は、注射器２２０のプランジャ２２２を把持するプランジャ把持部１６１ａと、下端にプランジャ把持部１６１ａが取り付けられ鉛直方向に上下動する棒部材１６１ｂとを有している。
第１単軸アクチュエーター１６２は、駆動源の一例であるモーター（図示せず）と、ロッド１６２ａとを有し、このモーターが動作することによりロッド１６２ａが鉛直方向に上下動する。
リンク１６３は、プランジャ把持機構１６１の棒部材１６１ｂと第１単軸アクチュエーター１６２のロッド１６２ａとを連結している。
したがって、第１単軸アクチュエーター１６２のロッド１６２ａが上下動することにより、リンク１６３を介して、プランジャ把持機構１６１の棒部材１６１ｂが連動して上下動する。
これにより、注射器２２０のプランジャ２２２は、上下に往復動することができる。
【００３８】
バイアル往復動ユニット１７０は、駆動部仕切りカバー１３０内の下方に設置され、後述する容器ホルダー３００を載置する容器ホルダー載置台１７１と、この容器ホルダー載置台１７１を上下に往復動させる第２単軸アクチュエーター１７２と、容器ホルダー載置台１７１と第２単軸アクチュエーター１７２とを接続する接続部材１７３とを有している。
容器ホルダー載置台１７１は、初期状態（放射性薬液処理装置１００稼働前）において、下部開口１１２ｂと対向する位置に設置されている。
図７に示すように、容器ホルダー載置台１７１の右側端には、容器ホルダー３００が容器ホルダー載置台１７１から転落することを防ぐために、鉛直方向に伸びる壁部材１７１ａが取り付けられている。
一方、容器ホルダー載置台１７１の左側には、傾斜面（係合面）１７１ｂが形成されている。
この傾斜面１７１ｂと壁部材１７１ａとの距離Ｄは、鉛直下方に向かって短くなっている。
また、第２単軸アクチュエーター１７２は、駆動源の一例であるモーター（図示せず）と、スライダー１７２ａとを有し、このモーターが動作することにより、スライダー１７２ａが鉛直方向に上下動する。
接続部材１７３は、容器ホルダー載置台１７１の底面部材１７１ｃと第２単軸アクチュエーター１７２のスライダー１７２ａとを接続している。
したがって、第２単軸アクチュエーター１７２のスライダー１７２ａが上下動することにより、接続部材１７３を介して、容器ホルダー載置台１７１が連動して上下動する。
これにより、容器ホルダー３００に装着された遮蔽容器Ｃ内のバイアルＶは、上下に往復動することができる。
【００３９】
吸引針保持ユニット１８０は、薬液用ディスポーザブルユニット２００の吸引針２４０を着脱自在に保持し、容器ホルダー載置台１７１より上方かつ後述する切換部材保持ユニット１９０よりも下方に配置されていると共に、一例として、放射線遮蔽領域Ａ外に配置されている。
【００４０】
切換部材保持ユニット１９０は、放射線遮蔽領域Ａ内で、注射器保持ユニット１５０よりも下方に配置されていると共に吸引針保持ユニット１８０よりも上方に配置されている。
そして、この切換部材保持ユニット１９０は、薬液用ディスポーザブルユニット２００の流路切換部材である三方活栓（上部三方活栓２３１および下部三方活栓２３２）を着脱自在に保持する三方活栓保持部材１９１と、この三方活栓保持部材１９１と連結され三方活栓保持部材１９１を回転させる三方活栓切換モーター１９２とを有している。
【００４１】
三方活栓保持部材１９１は、放射線遮蔽領域Ａ内に配置され、上部三方活栓２３１の操作レバー２３１ｃを保持および操作する上部三方活栓ホルダー１９１ａと、下部三方活栓２３２の操作レバー２３２ｂを保持および操作する下部三方活栓ホルダー１９１ｂとを有している。
したがって、三方活栓保持部材１９１は、上部三方活栓２３１の操作レバー２３１ｃ、および、下部三方活栓２３２の操作レバー２３２ｂを操作するレバー保持部材として機能することができる。
また、三方活栓保持部材１９１の回転軸の伸びる方向は、共に前後方向となっている。
【００４２】
三方活栓切換モーター１９２は、一例として、ギアードモーターであり、図５に示すように、上部三方活栓ホルダー１９１ａと係合してこの上部三方活栓ホルダー１９１ａを回転させる上部切換モーター１９２ａと、下部三方活栓ホルダー１９１ｂと係合してこの下部三方活栓ホルダー１９１ｂを回転させる下部切換モーター１９２ｂとから成る。
また、三方活栓切換モーター１９２の回転軸の伸びる方向は、共に左右方向となっており、三方活栓保持部材１９１の回転軸の伸びる方向と直交している。
【００４３】
上述したように、注射器保持ユニット１５０、プランジャ往復動ユニット１６０、バイアル往復動ユニット１７０、吸引針保持ユニット１８０、切換部材保持ユニット１９０が、それぞれ形成されて配置されているので、切換部材保持ユニット１９０は、流路切換部材である三方活栓を注射器２２０および吸引針２４０に鉛直方向に直結することが可能となる。
【００４４】
＜４．３．三方活栓保持部材と流路部材との詳細な位置関係＞
ここで、図８Ａおよび図８Ｂに基づいて、三方活栓保持部材１９１と流路部材２３０との詳細な位置関係を説明する。
図８Ａは、本発明の実施例である三方活栓保持部材と流路切換部材との位置関係を示す斜視断面図であり、図８Ｂは、本発明の実施例である三方活栓保持部材を回転させた状態における三方活栓保持部材と流路切換部材との位置関係を示す正面図である。
なお、上部三方活栓ホルダー１９１ａと上部三方活栓２３１との位置関係と、下部三方活栓ホルダー１９１ｂと下部三方活栓２３２との位置関係とは、同じ位置関係になるため、以下、三方活栓保持部材１９１の一つである上部三方活栓ホルダー１９１ａと流路部材２３０の一つである上部三方活栓２３１とを用いて、三方活栓保持部材１９１と流路部材２３０との位置関係を説明する。
【００４５】
図８Ａおよび図８Ｂに示すように、上部三方活栓ホルダー１９１ａには切欠１９１ａ１が形成され、上部三方活栓ホルダー１９１ａは、正面視においてＣ字状になっている。
そして、この切欠１９１ａ１の切欠幅Ｗｈは、操作レバー２３１ｃの幅Ｗｌの幅より大きくなっている。
これにより、図８Ｂに示すように、上部三方活栓ホルダー１９１ａが回動した際に、操作レバー２３１ｃは、片側でのみ上部三方活栓ホルダー１９１ａと当接する。
【００４６】
＜５．容器ホルダー＞
次に、図９および図１０に基づいて、放射性薬液処理装置に用いる容器ホルダー３００について説明する。
図９は、本発明の実施例である容器ホルダーの斜視図であり、図１０は、図９のＸ−Ｘ断面図である。
【００４７】
図９に示すように、容器ホルダー３００は、放射性薬液Ｌを内部に有するバイアルＶを収容する遮蔽容器Ｃを保持している。
バイアルＶは、図１０に示すように、円筒状で一端が開口されたガラス瓶Ｖ１と、この開口を閉塞するゴム栓Ｖ２と、このゴム栓Ｖ２がガラス瓶Ｖ１から抜けることを防ぐアルミ製のキャップＶ３とから構成されている。
そして、この容器ホルダー３００は、一例としてステンレス製であり、遮蔽容器Ｃが着脱自在に装着される容器保持部材３１０と、遮蔽容器Ｃの上蓋Ｃ１を抑えることでバイアルＶが遮蔽容器Ｃから抜けることを防ぐと共にバイアルＶ内の放射性薬液Ｌから漏洩する放射線を遮蔽する抑え蓋３２０と、容器ホルダー３００の底部を形成するホルダー底部部材３３０と、容器保持部材３１０と抑え蓋３２０とを連結する上部連結部材３４０と、容器保持部材３１０とホルダー底部部材３３０とを連結する３つの下部連結部材３５０とを備えている。
なお、図９では、下部連結部材３５０は、２つしか図示されていない。
【００４８】
容器保持部材３１０は、円環状の部材であり、この円環状の中空部分に遮蔽容器Ｃを挿入できるように形成されている。
そして、容器保持部材３１０は、図１０に示すように、内周端に円環状の段部３１１を有し、周上には上下方向に貫通された貫通孔３１２が設けられている。
この段部３１１に遮蔽容器Ｃの外周上に設けられた鍔部Ｃ２が係合することで、遮蔽容器Ｃが容器保持部材３１０に装着可能となっている。
【００４９】
抑え蓋３２０は、円板状の部材であり、その中央付近には、針挿入孔３２１が形成されている。
この針挿入孔３２１には、テーパ面３２１ａが形成され、針挿入孔３２１の直径は、下方に向かって狭くなっている。
針挿入孔３２１の最下端の直径Ｄｈは、バイアルＶのキャップＶ３に設けられた開口直径φとほぼ等しくなっている。
また、抑え蓋３２０は、半径方向に突出した鍔３２２を複数（図９では、２つ）有し、一方の鍔３２２には上下方向に貫通された貫通孔３２２ａが形成されている。
【００５０】
ホルダー底部部材３３０は、円環状の部材であり、その中空部分に遮蔽容器Ｃの底部Ｃ３が挿入されている。
図１０に示すように、ホルダー底部部材３３０の上面３３１は、底面３３２に対して傾斜しているため、ホルダー底部部材３３０の厚みは、周方向に変化している。
また、ホルダー底部部材３３０の厚みがもっとも薄い領域には、貫通孔３３３が形成されている。
【００５１】
上部連結部材３４０は、円柱状の部材である上部連結軸３４１と、この上部連結軸３４１に締結される止めネジ３４２とを有している。
上部連結軸３４１の上端側は、抑え蓋３２０の貫通孔３２２ａに挿通され、上部連結軸３４１の下端側は、後述する下部連結軸３５１の上端に形成された貫通孔３５１ａに締結されている。
また、上部連結軸３４１の上端には、ネジ穴３４１ａが形成され、抑え蓋３２０が上部連結軸３４１から抜けることを防ぐために、ネジ穴３４１ａに止めネジ３４２が締結されている。
【００５２】
下部連結部材３５０は、本実施例の容器ホルダー３００では一例として３つ存在しており、それぞれ、円柱状の部材である下部連結軸３５１と、この下部連結軸３５１に締結される締結ボルト３５２とを有している。
下部連結軸３５１には、上下方向に貫通された貫通孔３５１ａが形成され、この貫通孔３５１ａの上下端には、雌ネジが形成されている。
下部連結軸３５１の上端側は、容器保持部材３１０の貫通孔３１２に挿通され、下部連結軸３５１の下端側は、下部連結部材３５０の貫通孔３３３に一部挿入されている。
また、下部連結軸３５１の貫通孔３５１ａの下端には、締結ボルト３５２が締結されている。
【００５３】
容器ホルダー３００がこれらの部材から構成されていることにより、容器ホルダー３００は、遮蔽容器Ｃを水平面に対して傾いた状態で保持することができる。
そして、ホルダー底部部材３３０の厚みがもっとも薄い左側面３３４が、放射性薬液処理装置１００の容器ホルダー載置台１７１に形成された傾斜面１７１ｂと係合するように構成されている。
これにより、容器ホルダー載置台１７１に対する容器ホルダー３００の取付向きが一方向に位置決めされる。
【００５４】
＜６．放射性薬液処理装置による放射性薬液投与動作＞
次に、図１、図５、図１１乃至図１７に基づいて、このように構成された放射性薬液処理装置１００による放射性薬液投与動作の一例について、簡単に説明する。
図１１乃至図１７は、本発明の実施例である放射性薬液処理装置を用いて放射性薬液を投与する際の薬液用ディスポーザブルユニットの状態を示す図である。
【００５５】
＜６．１．流路内の空気を置換＞
まず、遮蔽扉１２１を開けて、予め組んでおいた薬液用ディスポーザブルユニット２００を放射性薬液処理装置１００に取り付ける。
このとき、予め生理食塩水を充填させておいた生理食塩水供給用注射器２１０を、図１に示すように、ホルダー１１１ａに取り付ける。
そして、図５に示すように、注射器２２０を注射器保持ユニット１５０に取り付け、流路部材２３０を切換部材保持ユニット１９０に取り付け、吸引針２４０を吸引針保持ユニット１８０に取り付ける。
そして、薬剤供給扉１２２を開けて、バイアルＶにエア針Ｎを刺した状態の遮蔽容器Ｃを収容した容器ホルダー３００を容器ホルダー載置台１７１に取り付ける。
【００５６】
この状態で、上部三方活栓２３１の操作レバー２３１ｃを、図１１に示すような位置に回動させて、上部三方活栓２３１の下部ポート２３１ａ３と水平ポート２３１ａ２とを連通させる。
また、下部三方活栓２３２の操作レバー２３２ｂを、図１１に示すような位置に回動させて、下部三方活栓２３２の上部ポート２３２ａ１と水平ポート２３２ａ２とを連通させる。
この状態で、生理食塩水供給用注射器２１０のプランジャ２１２を押し込むことで、生理食塩水Ｓが生理食塩水供給用注射器２１０と下部三方活栓２３２とを繋ぐ第２チューブ２６２および上部三方活栓２３１から伸びる第１チューブ２６１の中を流れる。
これにより、第１チューブ２６１、第２チューブ２６２、および流路部材２３０内の空気が、生理食塩水Ｓに置換される。
【００５７】
＜６．２．吸引針のバイアル内への挿入＞
次に、バイアル往復動ユニット１７０を駆動して、容器ホルダー載置台１７１を上方に移動させて、図１２に示すような、吸引針２４０にバイアルＶが近づいた位置で容器ホルダー載置台１７１の上昇を停止させる。
この状態で、装置使用者が目視窓１２１ａから吸引針２４０がバイアルＶのゴム栓Ｖ２（図１０参照）を穿刺する位置を目視で確認する。
そして、バイアル往復動ユニット１７０によって容器ホルダー載置台１７１を上方に移動させ、吸引針２４０をバイアルＶのゴム栓Ｖ２（図１０参照）に穿刺させ、図１３に示すように、吸引針２４０をガラス瓶Ｖ１（図１０参照）の底に到達させる。
【００５８】
＜６．３．放射性薬液の充填＞
次に、上部三方活栓２３１の操作レバー２３１ｃを、図１４に示すような位置に回動させて、上部三方活栓２３１の上部ポート２３１ａ１と下部ポート２３１ａ３とを連通させる。
また、下部三方活栓２３２の操作レバー２３２ｂを、図１４に示すような位置に回動させて、下部三方活栓２３２の上部ポート２３２ａ１と下部ポート２３２ａ３とを連通させる。
この状態で、注射器２２０のプランジャ２２２を引くことで、エア針ＮからバイアルＶ内に向かって空気が流入しつつ、バイアルＶ内の放射性薬液Ｌは、流路部材２３０の中を流れる。
これにより、注射器２２０のシリンジ２１１内に放射性薬液Ｌを充填させることができる。
【００５９】
＜６．４．放射性薬液の投与＞
注射器２２０のシリンジ２１１への放射性薬液Ｌの充填が終了した後、上部三方活栓２３１の操作レバー２３１ｃを、図１５に示すような位置に回動させて、上部三方活栓２３１の上部ポート２３１ａ１と水平ポート２３１ａ２とを連通させる。
また、下部三方活栓２３２の操作レバー２３２ｂを、図１５に示すような位置に回動させて、下部三方活栓２３２の水平ポート２３２ａ２と下部ポート２３２ａ３とを連通させる。
このような状態で、注射器２２０のプランジャ２２２を押し込むことで、シリンジ２２１内の放射性薬液Ｌは、上部三方活栓２３１から伸びる第１チューブ２６１の中を流れる。
これにより、放射性薬液Ｌが患者に投与される。
【００６０】
＜６．５．生理食塩水の再充填＞
放射性薬液Ｌの投与が終了した後、上部三方活栓２３１の操作レバー２３１ｃを、図１６に示すような位置に回動させて、上部三方活栓２３１の上部ポート２３１ａ１と下部ポート２３１ａ３とを連通させる。
また、下部三方活栓２３２の操作レバー２３２ｂを、図１６に示すような位置に回動させて、下部三方活栓２３２の上部ポート２３２ａ１と水平ポート２３２ａ２とを連通させる。
この状態で、注射器２２０のプランジャ２２２を引くことで、生理食塩水Ｓが生理食塩水供給用注射器２１０と下部三方活栓２３２とを繋ぐ第２チューブ２６２の中を流れる。
これにより、第２チューブ２６２、流路部材２３０および注射器２２０内に、生理食塩水Ｓが改めて充填される。
【００６１】
＜６．６．生理食塩水の投与＞
注射器２２０のシリンジ２２１への生理食塩水Ｓの充填が終了した後、上部三方活栓２３１の操作レバー２３１ｃを、図１７に示すような位置に回動させて、上部三方活栓２３１の上部ポート２３１ａ１と水平ポート２３１ａ２とを連通させる。
この状態で、注射器２２０のプランジャ２２２を押し込むことで、注射器２２０内の生理食塩水Ｓは、上部三方活栓２３１から伸びる第１チューブ２６１の中を流れる。
これにより、第１チューブ２６１内の放射性薬液Ｌの残液および生理食塩水Ｓが患者に投与される。
【００６２】
＜７．変形例＞
以上、本発明の一実施例である放射性薬液処理装置とこれに用いる容器ホルダーおよび薬液用ディスポーザブルユニットを具体的について説明したが、本発明の一実施例である放射性薬液処理装置とこれに用いる容器ホルダーおよび薬液用ディスポーザブルユニットは、上記に限定されるものではなく、その趣旨を逸脱しない範囲でその具体的な形態の変形が可能である。
【００６３】
例えば、放射性薬液処理装置の設置場所は、放射線管理区域内であれば如何なる場所であってもよく、床の上であってもよいし、机の上であってもよい。
【００６４】
例えば、生理食塩水供給用注射器２１０の取付場所は、本実施例においては、放射性薬液処理装置１００の右側面１１１であったが、如何なる場所であってもよい。
【００６５】
例えば、本実施例において薬液用ディスポーザブルユニット２００の生理食塩水供給用注射器２１０の体積と注射器２２０の体積との大小関係は、図２で示すように生理食塩水供給用注射器２１０の体積が注射器２２０の体積より大きいものに限定されるものでなく、生理食塩水供給用注射器２１０の体積が注射器２２０の体積と等しくてもよいし、生理食塩水供給用注射器２１０の体積が注射器２２０の体積より小さくてもよい。
【００６６】
例えば、本実施例において、流路切換部材として、三方活栓を用いていたが、流路を切り替える機能を有するものであればこれに限定されず、電動弁を組み合わせてもよい。
流路切換部材として電動弁を用いる場合、レバー保持部材や三方活栓切換モーターは、不要となる。
【００６７】
例えば、本実施例において、上部三方活栓２３１とフィルター２５０とが第１チューブ２６１により接続され、下部三方活栓２３２と生理食塩水供給用注射器２１０とが第２チューブ２６２により接続されていたが、上部三方活栓２３１と生理食塩水供給用注射器２１０とが第２チューブ２６２により接続され、下部三方活栓２３２とフィルター２５０とが第１チューブ２６１により接続されていてもよい。
【００６８】
例えば、本実施例において、注射器２２０を鉛直方向に配置（上部三方活栓２３１の上部ポート２３１ａ１と注射器２２０とを直結）させていたが、鉛直方向の長さを短くするために注射器２２０を水平方向に配置（上部三方活栓２３１の水平ポート２３１ａ２と注射器２２０とを直結）させてもよく、この場合、プランジャ往復動ユニット１６０が注射器２２０のプランジャ２２２を往復動させる方向は水平方向となる。
【００６９】
例えば、本実施例において、放射性薬液処理装置１００の外装ハウジング１１０、遮蔽部材１２０、目視窓１２１ａ、駆動部仕切りカバー１３０は、その材質を特に限定していないが、消毒用アルコールや水で清掃可能な防水・耐薬品性を有する素材で、かつ凹凸が少なく構成され、常に清浄な状態を保てるように構成してもよい。
【００７０】
例えば、本実施例において、目視窓１２１ａは、ポリカーボネート製であったが、放射線の遮蔽能力が高い鉛ガラス製であってもよい。
【００７１】
例えば、本実施例において、第１単軸アクチュエーター１６２および第２単軸アクチュエーター１７２の駆動源は、モーターであったが、アクチュエーターの駆動源はこれに限定されない。
【００７２】
例えば、吸引針保持ユニット１８０は、本実施例では、放射線遮蔽領域Ａ外に配置されていたが、吸引針保持ユニット１８０を放射線遮蔽領域Ａ内に配置してもよい。
【００７３】
例えば、本実施例において、三方活栓切換モーター１９２の代わりに手動で三方活栓保持部材１９１を回動させてもよいし、空気式の駆動源により回動させてもよい。
また、三方活栓切換モーター１９２を用いる場合、三方活栓切換モーター１９２は、本実施例においてはギアードモーターであったが、ステッピングモーター、サーボモーター等であってもよい。
【００７４】
例えば、本実施例において、注射器保持ユニット１５０、プランジャ往復動ユニット１６０、バイアル往復動ユニット１７０、吸引針保持ユニット１８０、切換部材保持ユニット１９０は、その材質を特に限定していないが、消毒用アルコールや水で清掃可能な防水・耐薬品性を有する素材で構成され、常に清浄な状態を保てるように構成してもよい。
【００７５】
例えば、本実施例において、容器ホルダー３００はステンレス製であったが、被曝を防ぐために、容器ホルダー３００を鉛やタングステンで作成してもよい。
また、容器ホルダー３００の軽量化のために、容器保持部材３１０及びホルダー底部部材３３０をポリアセタール等の樹脂で作成してもよい。
【００７６】
例えば、本実施例において、容器保持部材３１０とホルダー底部部材３３０とを連結する下部連結部材３５０は、３つであったが、下部連結部材３５０の個数は、これに限定されるものではない。
また、上部連結軸３４１の下端と係合する下部連結軸３５１の貫通孔３５１ａにのみ、雌ネジを形成してもよい。
【００７７】
例えば、本実施例においては、バイアルＶにエア針Ｎを刺した状態で容器ホルダー載置台１７１に容器ホルダー３００を配置していたが、バイアルＶにエア針Ｎを刺すタイミングは、バイアルＶから放射性薬液Ｌを吸引する前であれば、如何なるタイミングであってもよい。
【００７８】
例えば、本実施例において、薬液用ディスポーザブルユニット２００を放射性薬液処理装置１００に取り付けた後に、遮蔽容器Ｃを収容した容器ホルダー３００を容器ホルダー載置台１７１に取り付けたが、薬液用ディスポーザブルユニット２００を放射性薬液処理装置１００に取り付ける前に遮蔽容器Ｃを収容した容器ホルダー３００を容器ホルダー載置台１７１に取り付けてもよい。
【００７９】
例えば、本実施例において、放射性薬液を投与する状態において、下部三方活栓２３２の水平ポート２３２ａ２と下部ポート２３２ａ３とを連通させていたが、下部三方活栓２３２の上部ポート２３２ａ１が水平ポート２３２ａ２あるいは下部ポート２３２ａ３と連通しなければ、下部三方活栓２３２の操作レバー２３２ｂの位置は、如何なる位置であってもよい。
【００８０】
＜８．本実施例の作用効果＞
上述したような本実施例の放射性薬液処理装置１００によれば、放射線管理区域における専有面積を少なくできると共にバイアルＶ内の放射性薬液Ｌを効率よく投与することができる。
【００８１】
また、本実施例の放射性薬剤処理装置１００は、バイアルＶを往復動させるバイアル往復動ユニット１７０を備え、注射器保持ユニット１５０と切換部材保持ユニット１９０と吸引針保持ユニット１８０とが、注射器２２０と流路切換部材と吸引針２４０とを直結させる位置に配設されているにより、従来のような注射器および流路切換部材を固定して吸引針のみを往復動させてバイアル内の放射性薬液を吸引する場合に必要な吸引針と流路切換部材とを繋ぐ流路部材が不要になるため、バイアルＶから吸引した放射性薬液Ｌの残留を低減できると共に装置全体の外形寸法を小型化して放射線管理区域における専有面積を削減することができる。
さらに、バイアル往復動ユニット１７０は、バイアルＶが往復動するように構成されていることにより、注射器２２０と流路切換部材と吸引針２４０とをバイアルＶに対して往復動させてバイアルＶ内の放射性薬液Ｌを吸引する場合に比べて往復動させる駆動関連部材が少なくなるため、往復動させる機構が簡素化されることで外装ハウジング１１０全体の外径寸法が小型化され、その結果、放射線管理区域における放射性薬物処理装置１００の専有面積を削減して省スペース化を図ることができる。
【００８２】
また、切換部材保持ユニット１９０は、流路切換部材が注射器２２０および吸引針２４０と鉛直方向で直結させる位置に配設されていることにより、バイアルＶから注射器２２０までが鉛直方向に配列されるため、バイアルＶから注射器２２０までの流路内に空気が混入したとしても空気が上方に逃げ、流路中における空気の残留を解消することができる。
さらに、放射性薬液処理装置１００の外装ハウジング１１０が縦長に設計可能となるため、放射線管理区域における放射性薬液処理装置１００の専有面積をより少なくすることができる。
【００８３】
注射器保持ユニット１５０が、注射器２２０を着脱自在に保持し、吸引針保持ユニット１８０が、吸引針２４０を着脱自在に保持し、切換部材保持ユニット１９０が、流路切換部材を着脱自在に保持していることにより、一回の使用で交換される可能性の高い注射針・吸引針・流路切換部材を容易に放射性薬液処理装置１００に着脱可能となるため、放射性薬液処理装置１００を衛生的に使用することができる。
【００８４】
また、流路切換部材が、３つの流路とこの３つの流路のうち２つの流路を連通させる流路切換弁２３１ｂとこの流路切換弁２３１ｂを操作する操作レバー２３１ｃ、２３２ｂとを有する三方活栓である
これにより、流路切換部材の構造が簡便になるため、切換部材保持ユニット１９０の構造も簡便になり放射性薬液処理装置１００をより小型化することができる。
【００８５】
切換部材保持ユニット１９０は、三方活栓の操作レバー２３１ｃ、２３２ｂを操作するレバー保持部材１９１とこのレバー保持部材１９１を回転させる三方活栓切換モーター１９２とを有している。
これにより、放射性薬液処理装置１００の外部からレバー保持部材１９１を回転させる機構が不要になるため、従来のような注射器にバイアル内の放射性薬液を充填する際に装置外部から手動で三方活栓の操作レバーを切り替える場合に比べて、切換部材保持ユニット１９０がさらに簡便な構造になり放射性薬液処理装置１００をより小型化することができる。
【００８６】
また、注射器保持ユニット１５０とバイアル往復動ユニット１７０とは、外装ハウジング１１０内に組み込まれている。
これにより、従来のようなバイアル往復動ユニットのハウジングとは別体の注射器保持ユニット専用のハウジングを設ける必要がなくなるため、放射性薬液処理装置全体の外形寸法を小型化することができる。
【００８７】
また、注射器保持ユニット１５０と切換部材保持ユニット１９０とが、外装ハウジング１１０内の放射線遮蔽領域Ａに少なくとも配置されていることにより、バイアルＶ内の放射性薬液Ｌを注射器２２０に吸引する際および注射器に放射性薬液Ｌを保持する際および注射器２２０に吸引された放射性薬液Ｌを吐出する際に外装ハウジング１１０から外部への放射線放出量が抑制されるため、放射線管理区域における装置使用者等の被曝を回避することができる。
【００８８】
また、容器ホルダー載置台１７１は、遮蔽容器Ｃを水平面に対して傾いた状態で保持する容器ホルダー３００と係合して容器ホルダー３００の取付向きを位置決めする係合面である傾斜面１７１ｂを有している。
これにより、遮蔽容器Ｃの容器ホルダー載置台１７１への取付向きが所定の向きとなり、遮蔽容器Ｃが容器ホルダー載置台１７１に取り付けられた際に遮蔽容器Ｃが吸引針２４０に対して所定の方向に傾くため、バイアルＶの交換時においても吸引針２４０がバイアルＶ内へ穿刺する位置を一定に確保することができる。
【００８９】
また、放射性薬液処理装置１００に用いる容器ホルダー３００は、遮蔽容器Ｃ内に収容したバイアルＶの抜け出しを抑える抑え蓋３２０を有している。
これにより、バイアルＶに対して遮蔽容器Ｃから引き抜く方向の力が加わったとしても、遮蔽容器Ｃの上蓋Ｃ１が容器ホルダー３００の抑え蓋３２０で抑えられているため、吸引針２４０をバイアルＶから引き抜く際に放射性薬液Ｌの残留しているバイアルＶが遮蔽容器Ｃから飛び出すことを防止することができる。
また、針挿入孔３２１にテーパ面３２１ａが形成されていることにより、薬液用ディスポーザブルユニット２００の吸引針２４０が針挿入孔３２１の中心から外側にずれた位置に取り付けられた状態で放射性薬液処理装置１００が稼働して、吸引針２４０がテーパ面３２１ａに当接してしまった場合であっても、テーパ面３２１ａに沿って吸引針２４０が撓むため、吸引針２４０を針挿入孔３２１に挿通させることができる。
【００９０】
また、放射性薬液処理装置１００に用いる薬液用ディスポーザブルユニット２００によれば、注射器２２０と流路切換部材と吸引針２４０とが、一連一体に組み合わされていることにより、注射器２２０と吸引針２４０との間の流路が最小限になり、バイアルＶから吸引した放射性薬液Ｌが注射器２２０と流路切換部材と吸引針２４０の内部以外に残留する余地が無くなるため、バイアルＶ内の放射性薬液Ｌを歩留まり良く使用することができる。
加えて、薬液用ディスポーザブルユニット２００が一連一体に組み合わされた状態で放射性薬液処理装置１００に着脱自在であるため、注射器２２０と流路切換部材と吸引針２４０とが誤った連結形態で組み付けされるような状態（いわゆる「誤組み付け」）を防止して放射性薬液処理装置１００への装着作業や交換作業が短時間かつ簡便になるだけでなく、薬液用ディスポーザブルユニット２００の交換時において交換者が無用な被曝をしてしまうおそれを抑制することができるなど、その効果は甚大である。
【符号の説明】
【００９１】
１００    ・・・放射性薬液処理装置
１１０    ・・・外装ハウジング
１１１    ・・・右側面
１１１ａ  ・・・ホルダー
１１２    ・・・正面
１１２ａ  ・・・上部開口
１１２ｂ  ・・・下部開口
１２０    ・・・遮蔽部材
１２１    ・・・遮蔽扉
１２１ａ  ・・・目視窓
１２２    ・・・薬剤供給扉
１３０    ・・・駆動部仕切りカバー
１３１    ・・・左側面カバー板
１３２    ・・・右側面カバー板
１３３    ・・・背面カバー板
１３４    ・・・上面カバー板
１３５    ・・・底面カバー板
１４０    ・・・遮蔽部
１４１    ・・・遮蔽天板
１４２    ・・・遮蔽左側面板
１４３    ・・・遮蔽右側面板
１４４    ・・・遮蔽背面板
１５０    ・・・注射器保持ユニット
１５１    ・・・爪部材
１６０    ・・・プランジャ往復動ユニット
１６１    ・・・プランジャ把持機構
１６１ａ  ・・・プランジャ把持部
１６１ｂ  ・・・棒部材
１６２    ・・・第１単軸アクチュエーター
１６２ａ  ・・・ロッド
１６３    ・・・リンク
１７０    ・・・バイアル往復動ユニット
１７１    ・・・容器ホルダー載置台
１７１ａ  ・・・壁部材
１７１ｂ  ・・・傾斜面（係合面）
１７１ｃ  ・・・底面部材
１７２    ・・・第２単軸アクチュエーター
１７２ａ  ・・・スライダー
１７３    ・・・接続部材
１８０    ・・・吸引針保持ユニット
１９０    ・・・切換部材保持ユニット
１９１    ・・・三方活栓保持部材（レバー保持部材）
１９１ａ  ・・・上部三方活栓ホルダー
１９１ａ１・・・切欠
１９１ｂ  ・・・下部三方活栓ホルダー
１９２    ・・・三方活栓切換モーター
１９２ａ  ・・・上部切換モーター
１９２ｂ  ・・・下部切換モーター
２００    ・・・薬液用ディスポーザブルユニット
２１０    ・・・生理食塩水供給用注射器
２１１    ・・・シリンジ
２１２    ・・・プランジャ
２２０    ・・・注射器
２２１    ・・・シリンジ
２２２    ・・・プランジャ
２３０    ・・・流路部材
２３１    ・・・上部三方活栓（流路切換部材）
２３１ａ  ・・・活栓本体
２３１ａ１・・・上部ポート
２３１ａ２・・・水平ポート
２３１ａ３・・・下部ポート
２３１ｂ  ・・・流路切換弁
２３１ｃ  ・・・操作レバー
２３２    ・・・下部三方活栓（流路切換部材）
２３２ａ  ・・・活栓本体
２３２ａ１・・・上部ポート
２３２ａ２・・・水平ポート
２３２ａ３・・・下部ポート
２３２ｂ  ・・・操作レバー
２４０    ・・・吸引針
２５０    ・・・フィルター
２６０    ・・・チューブ
２６１    ・・・第１チューブ
２６２    ・・・第２チューブ
３００    ・・・容器ホルダー
３１０    ・・・容器保持部材
３１１    ・・・段部
３１２    ・・・貫通孔
３２０    ・・・抑え蓋
３２１    ・・・針挿入孔
３２１ａ  ・・・テーパ面
３２２    ・・・鍔
３２２ａ  ・・・貫通孔
３３０    ・・・ホルダー底部部材
３３１    ・・・上面
３３２    ・・・底面
３３３    ・・・貫通孔
３３４    ・・・左側面
３４０    ・・・上部連結部材
３４１    ・・・上部連結軸
３４１ａ  ・・・ネジ穴
３４２    ・・・締結ネジ
３５０    ・・・下部連結部材
３５１    ・・・下部連結軸
３５１ａ  ・・・貫通孔
３５２    ・・・締結ボルト
Ａ      ・・・放射線遮蔽領域
Ｃ      ・・・遮蔽容器
Ｃ１    ・・・上蓋
Ｃ２    ・・・鍔部
Ｃ３    ・・・底部
Ｎ      ・・・エア針
Ｖ      ・・・バイアル
Ｖ１    ・・・ガラス瓶
Ｖ２    ・・・ゴム栓
Ｖ３    ・・・キャップ
Ｌ      ・・・放射性薬液
Ｓ      ・・・生理食塩水
Ｄ      ・・・傾斜面と壁部材との距離
Ｗｈ    ・・・切欠幅
Ｗｌ    ・・・レバー幅
Ｄｈ    ・・・針挿入孔の直径
φ      ・・・キャップの開口直径
【図１】
2019217079.tif 000003
【図２】
2019217079.tif 000004
【図３】
2019217079.tif 000005
【図４】
2019217079.tif 000006
【図５】
2019217079.tif 000007
【図６】
2019217079.tif 000008
【図７】
2019217079.tif 000009
【図８Ａ】
2019217079.tif 000010
【図８Ｂ】
2019217079.tif 000011
【図９】
2019217079.tif 000012
【図１０】
2019217079.tif 000013
【図１１】
2019217079.tif 000014
【図１２】
2019217079.tif 000015
【図１３】
2019217079.tif 000016
【図１４】
2019217079.tif 000017
【図１５】
2019217079.tif 000018
【図１６】
2019217079.tif 000019
【図１７】
2019217079.tif 000020